(57)【要約】      （修正有）【課題】マットレスや敷き布団等の下側寝具に巻き回して使用する防水シーツであって、防水性に優れ、簡易な構成で防水シーツのズレを防止できると共に下側寝具への取り付け・取り外し作業の負担を大幅に軽減可能な防水シーツを提供する。【解決手段】下側寝具１０の表面に寝た状態の人体の所定部位が接する長さを横幅Ｗとし、下側寝具の裏面の端面から側面、表面、対向側面、裏面の対向端面に至る長さを縦幅として裁断成形され、下側寝具裏面の端面から対向端面に亘って巻き回して使用する帯状の防水シーツ２０であって、防水シーツの縦幅方向の両端部において、横幅方向全長に亘って二重又は三重以上の折り曲げ部２１、２２を形成し、該折り曲げ部のシーツ端部側を縫い合わせた下側寝具用防水シーツである。【選択図】図１
0003186629.tif 000002
【実用新案登録請求の範囲】
【請求項１】
下側寝具の表面に寝た状態の人体の所定部位が接する長さを横幅とし、下側寝具の裏面の端面から側面、表面、対向側面、裏面の対向端面に至る長さを縦幅として裁断成形され、下側寝具裏面の端面から対向端面に亘って巻き回して使用する帯状の防水シーツであって、前記防水シーツの縦幅方向の両端部において、横幅方向全長に亘って二重又は三重以上の折り曲げ部を形成し、該折り曲げ部のシーツ端部側を縫い合わせた、ことを特徴とする下側寝具用防水シーツ。
【請求項２】
前記下側寝具の表面に接する人体の部位が胸部から膝部付近までの範囲であることを特徴とする請求項１に記載の下側寝具用防水シーツ。
【請求項３】
前記防水シーツの縦幅が約１４５ｃｍ、横幅が約９０ｃｍ、裏面の両端面に当接する防水シートの幅がそれぞれ約２０ｃｍ、折り曲げ部２１、２２の幅がそれぞれ０．８〜３ｃｍである、ことを特徴とする請求項１又は２のいずれかに記載の下側寝具用防水シーツ。
【請求項４】
前記防水シーツが、上層及び下層の素材をポリエステルとし中間層の素材をポリウレタンフィルムとする三層構造であり、吸水性、水分拡散性を有すると共に伸縮性を有し、人体と接する面として表裏のいずれも適用することができる、ことを特徴とする請求項１〜３のいずれかに記載の下側寝具用防水シーツ。
【請求項５】
前記下側寝具が架台に載置されるマットレスであり、前記折り曲げ部が架台表面とマットレス裏面のそれぞれの端面部の間に挿し込まれる、ことを特徴とする請求項１〜４のいずれかに記載の下側寝具用防水シーツ。
【請求項６】
請求項１乃至５に記載の折り曲げ部に代えて、防水シーツとは別部材であって所定幅の帯状シートを、防水シーツの縦幅方向の両端部において横幅方向全長に亘って１又は２以上積み重ねて縫い合わせ又は貼り付けた重畳部を形成した、ことを特徴とする下側寝具用防水シーツ。
【考案の詳細な説明】
【技術分野】
【０００１】
本考案はマットレスや敷き布団等の下側寝具に巻き回して使用する防水シーツに関し、特に、防水性に優れ、簡易な構成で防水シーツのズレを防止できると共に下側寝具への取付け・取り外し作業の負担を大幅に軽減できる下側寝具用防水シーツに関する。
【背景技術】
【０００２】
病人、寝たきり老人等の被介護者、乳幼児などの失禁などによる大小便によるマットレス、敷布団等の下側寝具（以下、「マットレス等」ともいう）の汚れ防止のために、使用者の腰部や尻部付近をカバーするようにマットレス表面に敷き表面の横幅方向全域に亘って側面、裏面の一部まで巻き付けて使用する防水シーツが広く利用されており、このような防水シーツでは長手方向の先端部をマットレスの下面側に挿し込む方法が従来から広く採用されているが、就寝者の寝返り、起き上がり等によって防水シーツはズレ易く、ズレによって失禁等による大小便などによってマットレス、敷き布団、それらをカバーするシーツなどが汚れ、しわによって床ずれの原因となることもある。腰や尻部が接する位置に敷かれる従来の防水性シートにあっては、人体に接する部位の範囲が狭く、寝返り等により大小便などが防水性シートの外へ漏れることもあり防水効果が発揮できない場合がある。
【０００３】
そこで、防水シーツ全体をゴムバンドで巻き付ける等の対策がなされているがマットレスへの取り付け作業等に負担がかかる。またマットレスの下面側に防水シーツを取り付ける手段として、一般に着脱自在の手段として多用されているマジックテープ（登録商標）類が利用されているが、マジックテープ類は洗濯によって崩れ易く、糸屑が付着しやすいので洗濯頻度が多い防水シーツでは長期間の使用に耐えられない。
【０００４】
このような防水シーツのズレ防止のための技術として、特許文献１は不織布からなる通気性基材に所定の透湿度を有する透湿フィルムとが積層されてなる積層体に、樹脂による滑り止め加工がなされてなる防水シートを開示している。ここでは防水シートの使用時にズレを防止するために、樹脂を点状にグラビア法等にて塗工することによりすべり止め加工を施している。特許文献２はリクライニング機構などが付いたベッド又はマットレスであってもずれることなく使用することができる失禁用防水シートを開示している。ここでは表面をカバーする帯状の防水シーツ本体と左右側面をカバーする一対のサイドカバー部材とを備え、サイドカバー部材に切欠きを形成し二分することにより、ベッドなどを折り曲げても失禁用防水シーツ全体のズレを防止できるものとなっている。
【０００５】
また特許文献３は、敷き布団の寸法に合わせて、長方形平布地シーツの左右縁を各々所定幅で下側へ折り込み、上下縁を各々所定幅で下側へ折り込むとともに四隅の折り込んだ部分の重畳部分を縫い付けて成り、敷き布団の周囲を包み込むように覆う構成のシーツ本体の裏面側に所定寸法の合成樹脂製の防水性シートが縫い付け固定されている防水シーツ構造を開示している。ここでは、シーツ縁部を折り返して敷き布団を差し入れるポケットを形成し、防水シートは敷き布団全域をカバーするようにシーツ本体の裏面側に縫い付け固定されている。このような構成により敷き布団からズレない防水シーツ構造を提供するものである。
【０００６】
病院や介護施設等において使用される防水シーツは清潔さを保持するためにマットレス等から頻繁に取り外してクリーニング処理（洗濯）されてマットレス等に取付けられることになる。従って、防水シーツには上記したようなマットレス等からズレない構造であり防水効果が確保されていること、頻繁に繰り返されるクリーニング処理に対する耐久性、マットレス等への取り付け、取り外し作業の負担軽減が強く求められている。
【先行技術文献】
【特許文献】
【０００７】
【特許文献１】特開２００４−２９９０８０号公報
【０００８】
【特許文献２】実用新案登録第３０７７６５４号公報
【０００９】
【特許文献３】実用新案登録第３０３５２３４号公報
【考案の概要】
【考案が解決しようとする課題】
【００１０】
本考案は上述した事情に鑑みなされたものであり、マットレスや敷き布団等の下側寝具に巻き回して使用する防水シーツであって、防水性に優れ、簡易な構成で防水シーツのズレを防止できると共に、下側寝具への取り付け・取り外し作業の負担を大幅に軽減可能な防水シーツを提供することを課題とする。
【課題を解決するための手段】
【００１１】
請求項１に記載の考案は、下側寝具１０の表面１３に寝た状態の人体の所定部位が接する長さを横幅Ｗとし、下側寝具１０の裏面１１の端面１１Ｅ１から側面１２、表面１３、対向側面１２、裏面の対向端面１１Ｅ２に至る長さを縦幅Ｌとして裁断成形され、下側寝具裏面の端面１１Ｅ１から対向端面１１Ｅ２に亘って巻き回して使用する帯状の防水シーツ２０であって、前記防水シーツの縦幅方向の両端部において、横幅方向全長に亘って二重又は三重以上の折り曲げ部２１、２２、２３、２４を形成し、該折り曲げ部のシーツ端部側を縫い合わせた下側寝具用防水シーツであることを特徴とする。
【００１２】
請求項２に記載の考案は下側寝具１０の表面１３に接する人体の部位が胸部から膝部付近までの範囲であることを特徴とし、請求項３に記載の考案は、防水シーツ２０の縦幅Ｌが約１４５ｃｍ、横幅Ｗが約９０ｃｍ、裏面１１の両端面１１Ｅ１、１１Ｅ２に当接する防水シートの幅がそれぞれ約２０ｃｍ、折り曲げ部２１、２２の幅がそれぞれ０．８〜３ｃｍ、好ましくは１〜２ｃｍ、さらに好ましくは１〜１．５ｃｍである下側寝具用防水シーツであることを特徴とする。
【００１３】
請求項４に記載の考案は、防水シーツ２０が、上層及び下層の素材をポリエステルとし中間層の素材をポリウレタンフィルムとする三層構造であり、吸水性、水分拡散性を有すると共に伸縮性を有し、人体と接する面として表裏のいずれも適用することができる下側寝具用防水シーツであることを特徴とし、請求項５に記載の考案は、下側寝具１０が架台Ｂに載置されるマットレスであり、前記折り曲げ部２１、２２、２３、２４が架台表面とマットレス裏面１１のそれぞれの端面部の間に挿し込まれることを特徴とする。
【００１４】
請求項６に記載の考案は、請求項１乃至５に記載の折り曲げ部に代えて、防水シーツとは別部材であって所定幅の帯状シート３１Ｓ、３２Ｓを、防水シーツの縦幅方向の両端部において横幅方向全長に亘って１又は２以上積み重ねて縫い合わせ又は貼り付けた重畳部３１、３２を形成した下側寝具用防水シーツであることを特徴とする。
【考案の効果】
【００１５】
本考案は、人体の所定部位が接する長さを横幅Ｗとし、下側寝具裏面の端面から裏面の対向端面に至る長さを縦幅Ｌとして裁断成形され、裏面の端面から対向端面に亘って巻き回して使用する帯状の防水シーツにおいて、防水シーツの縦幅方向の両端部に横幅方向全長に亘って二重又は三重以上の折り曲げ部を形成している。そのため、下側寝具裏面端部に挿し込まれる折り曲げ部は突出しており、折り曲げ部自体による滑り止め機能に加えて、下側寝具の重量と人の体重により押圧されることによって折り曲げ部が静止状態を維持して滑り止め効果がさらに高められ、防水シーツのズレ防止が確保されることになる。
【００１６】
本考案は、下側寝具表面に接する人体の部位を胸部から膝部付近までの広い範囲（横幅Ｗ）とすることにより失禁等による大小便のマットレス等への漏れを阻止すると共に折り曲げ部が広範囲に形成されるためシーツの更なるズレ防止を確保することが可能となる。本考案に係る防水シーツを一枚のシートとし、そのサイズを縦幅Ｌ約１４５ｃｍ、横幅Ｗ約９０ｃｍ、裏面の両端面に当接する防水シートの幅約２０ｃｍ、両折り曲げ部幅０．８〜３ｃｍとすることにより、市販されているリバーシブル防水シーツ一枚をそのまま利用することができ、防水シーツを簡易に製作でき、製作作業、費用を大幅に低減できる。
【００１７】
本考案では、防水シーツの上層及び下層の素材をポリエステルとし中間層の素材をポリウレタンフィルムとする三層構造とすることにより、伸縮性を有すると共に吸水性、水分拡散性を有する防水性に優れ、取付け時の防水シーツの表裏の識別が不要となり取付け作業が容易となる。また、上下層がポリエステル１００パーセント素材であるために耐久性に優れ、長期に亘って蒸散作用により乾いた状態を維持することができサラッとした使い心地のよいシーツを提供することが可能となる。
【００１８】
本考案では、下側寝具を架台（寝台）に載置されるマットレスとし、折り曲げ部を架台表面とマットレス裏面のそれぞれの端面部の間に挿し込むように構成される。これにより上記した折り曲げ部の滑り止め効果が高められ防水シーツのズレ防止が確保されることになる。また、本考案に係る折り曲げ部に代えて、防水シーツとは別部材であって所定幅の帯状シートを、防水シーツの縦幅方向の両端部において横幅方向全長に亘って１又は２以上積み重ねて縫い合わせ又は貼り付けた重畳部を形成することができる。このような構成によっても本考案の目的であるズレ防止は達成されるものである。
【図面の簡単な説明】
【００１９】
【図１】本考案に係る下側寝具用防水シーツを下側寝具に取り付けた状態を示す斜視図である。
【図２】本考案に係る下側寝具用防水シーツを下側寝具に取り付けた状態を示す図で下側寝具下面側から視た平面図である。
【図３】本考案に係る下側寝具用防水シーツを下側寝具に取り付けた状態を示す図で拡大横断面図である。
【図４】本考案に係る防水シーツの両端部に二重の折り曲げ部（Ａ）及び三重の折り曲げ部（Ｂ）を形成した状態を示す拡大断面図、図（Ｃ）は折り曲げ部に代えて重畳部を形成した状態を示す拡大断面図である。
【図５】本考案に係る下側寝具用防水シーツを取り付けたマットレスを架台に載置した状態を示す斜視図である。
【考案を実施するための形態】
【００２０】
以下に本考案に係る下側寝具用防水シーツ（以下、単に「防水シーツ」ともいう）の実施の形態について添付図面を参照しながら詳細に説明する。ここで下側寝具とは人がその上に寝る敷布団やマットレス等の寝具を意味する。本考案に係る防水シーツは、例えば病院や介護・療養施設等において使用されるマットレスや敷き布団等の下側寝具（以下、「マットレス等」ともいう）の所定部位に巻き回して使用する帯状の防水シーツであって、伸縮性を有すると共に吸水性、水分拡散性を有する防水性に優れた１枚の部材によって製作されるものである。図１乃至図５に示すように、本考案に係る防水シーツ２０は、所定長さの横幅Ｗと縦幅Ｌとなるように裁断成形され、防水シーツの縦幅方向の両端部において横幅方向全長に亘って二重又は三重以上となるように折り曲げ部２１、２２、２３、２４を形成している。
【００２１】
防水シーツ２０の横幅Ｗの長さは、失禁等の対策からすると人体の腰部から太股部付近までの範囲の長さでもよいが、就寝時の寝返りやシーツの位置ズレ防止を考慮すればマットレス等１０の表面１３に寝た状態の人体の胸部から膝部付近までの範囲の長さが望ましい。このように防水シーツの表面に敷く範囲（横幅Ｗ）を広くすることにより、失禁等による大小便のマットレス等への漏れを阻止すると共に折り曲げ部２１、２２、２３、２４が広範囲（横幅方向全長）に形成されるためにシーツの更なるズレ防止を確保することが可能となる。防水シーツの縦幅Ｌ（図４参照）の長さは、マットレス等１０の裏面１１の端面１１Ｅ１から側面１２、表面１３、対向側面１２、裏面の対向端面１１Ｅ２に至る長さとしている。
【００２２】
本考案においては、図２、３、４に示すように上記防水シーツの横幅Ｗの長さを約９０ｃｍ、縦幅Ｌの長さを約１４５ｃｍとし、裏面１１の端面１１Ｅ１、１１Ｅ２に当接する防水シートの幅をそれぞれ約２０ｃｍ、折り曲げ部２１、２２、２３、２４の幅をそれぞれ１．５ｃｍとしている。このようなサイズとしたのは、病院や介護施設等においては横９０ｃｍ前後、高さ８ｃｍ前後のサイズのマットレスが多く使用されていること並びに横幅が約９０ｃｍ、縦幅が約１４５ｃｍのサイズのリバーシブル防水シーツが一枚ものとして市販されていることを考慮したものであり、販売効率上有利であり、市販のリバーシブル防水シーツ一枚ものをそのまま利用することにより簡易に製作でき、製作作業、費用の低減に繋がるからである。なお、折り曲げ部の幅は市販のリバーシブル防水シーツのサイズを考慮して、好ましくは１〜２ｃｍ、さらに好ましくは１〜１．５ｃｍとすることが望ましく、０．８〜３ｃｍとすることができる。上記防水シーツのサイズはこれらの数値に限定されるものではないことは勿論である。
【００２３】
本考案に係る防水シーツには、図２、３、４に示すように折り曲げ部２１、２２、２３、２４が横幅方向（図２の上下方向）の全長に亘って形成されている。折り曲げ部は縦幅方向（図４の左右方向）の両端部において一枚の部材（素材）の延長上に同一部材で形成され、マットレス等の裏面１１の両端面１１Ｅ１、１１Ｅ２に当接する部分に形成されている。
【００２４】
本考案においては、図４（Ａ）に示すように折り曲げ部２１、２２は二重となるように（防水シーツを１回折り曲げて一枚を重ねた状態）形成され、また図４（Ｂ）に示すように、折り曲げ部２３、２４は三重となるように（防水シーツを２回折り曲げて二枚を重ねた状態）形成されている。なお、本考案においては折り曲げ部を四重以上となるように形成することができる。折り曲げ部を４重以上に形成すると、マットレス裏面における摩擦係数が増してズレ防止効果は上がるが、防水シーツの折り畳み、洗濯に不便をきたし、積み重ねて保管する際に嵩張り厚さが不均一となるため不便となる。そのため折返し部は二重又は三重に形成することが望ましい。
【００２５】
二重に形成された折り曲げ部２１、２２は、図４（Ａ）に示すように防水シーツ端部側が縫い合わされて縫合部２１ａ、２２ａを形成しており、三重に形成された折り曲げ部２３、２４は、図４（Ｂ）に示すように防水シーツ端部側が縫い合わされて縫合部２３ｂ、２４ｂを形成している。なお、図では折り曲げ部は防水シーツ端部を上方側に折り曲げて形成しているが、防水シーツ端部を下方側に折り曲げて形成することは任意である。また、帯状の防水シーツの周縁はほつれ防止のため圧着又はまつり縫いを施すことが望ましい。
【００２６】
本考案に係る防水シーツは、マットレス等の裏面１１の端面１１Ｅ１（一方の折り曲げ部２１、２３が当接する面）から側面１２、表面１３、対向側面１２をカバーして裏面の対向端面１１Ｅ２（他方の折り曲げ部２２、２４が当接する面）までを、横幅Ｗ方向全域に亘って巻き回して使用するものである。
【００２７】
本考案に係る防水シーツは三層構造であり、上層の素材をポリエステル、中間層の素材をポリウレタンフィルム、下層の素材を上層と同じポリエステルとし、吸水性、水分拡散性を有すると共に伸縮性を有している。また上層と下層を同一素材のポリエステルとしているので人体と接する面として表裏のいずれも適用することができる。このように防水シーツが吸水性、水分拡散性を有するため防水性に優れ、取付け時の表裏の識別動作が不要となり、取付け作業が容易となる。また、防水シーツの上層及び下層がポリエステル１００パーセント素材であるために耐久性に優れ、長期に亘って蒸散作用により乾いた状態を維持することができサラッとした使い心地のよいシーツを提供することが可能となる。
【００２８】
本考案では、病院や介護施設等において一般に使用されている態様を考慮して、図５に示すように、下側寝具をマットレス１０とし、当該マットレスが架台（寝台）Ｂに載置されている形態としている。このような形態においては、折り曲げ部２１、２２、２３、２４が架台表面とマットレス裏面１１のそれぞれの端面部との間に挿し込まれることになる。マットレス裏面と架台表面の間に挿し込まれた折り曲げ部は、折り曲げ部自体による滑り止め機能と、マットレスの重量、その上の人の体重により押下される重力によって折り曲げ部による滑り止め機能がさらに高められ、防水シーツのズレ防止が確保されることになる。なお、本考案に係る防水シーツは、架台（寝台）上に載置されるマットレスに限られることはなく、畳、じゅうたん、フローリングなどの床に敷かれたマットレス又は敷布団等に対しても適用できることは勿論である。なお、図５においては図１と同一部位の符号は省略してある。
【００２９】
本考案では、上述した折り曲げ部２１、２２、２３、２４に代えて、図４（Ｃ）に示すように、本考案に係る防水シーツとは別部材で作製された１〜１０ｃｍ程度幅の帯状シート３１Ｓ、３２Ｓを、防水シーツの縦幅方向の両端部においてそれぞれ横幅方向全長に亘って１又は２以上積み重ねて縫い合わせ又は貼り付けた重畳部３１、３２を形成している。図では帯状シートを２枚（３１Ｓ１、３１Ｓ２、３２Ｓ１、３２Ｓ２）重ねているが、帯状シートは１枚又は３枚以上を積み重ねてもよい。帯状シートの素材は本考案に係る防水シーツと同一素材とすることはもとより、各種合成樹脂、ゴム、不織布、各種織物などの様々の素材とすることができる。帯状シートの幅は１〜１０ｃｍとすることができ、好ましくは１〜８ｃｍ、さらに好ましくは１〜５ｃｍ程度が望ましいが、このような数値に限定されるものではない。
【００３０】
上述した折り曲げ部は、本考案に係る防水シーツ延長上の両端部に同一部材により形成されるため洗濯時に破損する恐れが少なく耐久性に優れている。これに対して別部材を積み重ねて縫い合わせ又は貼り付けにより作成される重畳部は、洗濯時等に破損する恐れがあり耐久性に劣るが、このような構成の重畳部によっても本考案の目的とする防水シーツのズレ防止は達成できるものである。
【産業上の利用可能性】
【００３１】
本考案に係る下側寝具用防水シーツは市販のリバーシブル防水シーツを利用し折り曲げ部を簡易に形成できるので防水性に優れ、防水シーツのズレ防止が確保できると共に、下側寝具に対して短時間で取り付け・取り外し作業が可能となり、製作作業、費用を大幅に低減できる防水シーツとなっている。そのため病院や介護施設等で使用されるマットレス等の下側寝具のみでなく、一般家庭において家族の介護や訪問介護を受ける被介護者用下側寝具、さらには一般の就寝用下側寝具に使用する防水シーツとして広く利用することができる。
【符号の説明】
【００３２】
１０    下側寝具（マットレス等）
１１    下側寝具裏面
１１Ｅ１  下側寝具裏面の端面
１１Ｅ２  下側寝具裏面の対向端面
１２    下側寝具側面、下側寝具対向側面
１３    下側寝具表面
２０    防水シーツ
２１、２２、２３、２４    折り曲げ部
２１ａ、２２ａ、２３ｂ、２４ｂ    縫合部
３１、３２    重畳部
３１Ｓ１、３１Ｓ２、３２Ｓ１、３２Ｓ２    帯状シート
Ｗ    横幅
Ｌ    縦幅
Ｂ    架台（寝台）
【図１】
0003186629.tif 000003
【図２】
0003186629.tif 000004
【図３】
0003186629.tif 000005
【図４】
0003186629.tif 000006
【図５】
0003186629.tif 000007